(57)【要約】【課題】コンテンツのお気に入りリストと関連づけて特定のシーンを推薦することができるサーバ装置およびコンテンツ推薦方法を提供する。【解決手段】サーバ装置１０は、コンテンツＡの推薦シーンを示す推薦情報を受信するとコンテンツＡに関連づけして記憶する。サーバ装置１０は、コンテンツＡの配信要求をユーザ端末１２から受信すると、コンテンツＡ、コンテンツＡに関連づけされた推薦情報およびコンテンツＡが含まれるマイリスト１１０をリクエストされたユーザ端末１２に配信する。【選択図】      図２
2009182875.tif 000002
【特許請求の範囲】
【請求項１】
ネットワークに接続可能なユーザ端末に対して前記ネットワークを介してコンテンツの配信を行うサーバ装置であって、
前記コンテンツを記憶する記憶手段と、
前記記憶手段に記憶されたコンテンツのうち、所望のコンテンツの推薦シーンを示す推薦情報を前記ネットワークを介して受信した場合、前記所望のコンテンツに前記推薦情報を関連づける関連付け手段と、
前記関連付け手段によって前記推薦情報が関連づけされたコンテンツのコンテンツリストを前記ユーザごとに作成する作成手段と、
前記ネットワークを介して前記記憶手段に記憶されたコンテンツの配信要求を所定の端末から受信した場合、前記配信要求されたコンテンツ、当該コンテンツに関連づけされた推薦情報および当該コンテンツが含まれる前記コンテンツリストを前記ネットワークを介して前記所定の端末に配信を行う配信手段と
を具備することを特徴とするサーバ装置。
【請求項２】
請求項１に記載のサーバ装置において、
前記所望のコンテンツの推薦シーンを示す推薦情報は、前記所望のコンテンツの推薦シーンに対応する再生時間の情報であることを特徴とするサーバ装置。
【請求項３】
請求項１に記載のサーバ装置において、
前記配信手段は、前記配信要求されたコンテンツ、当該コンテンツに関連づけされた推薦情報および当該コンテンツが含まれる前記コンテンツリストの配信を行う場合、前記配信要求されたコンテンツの推薦情報、前記コンテンツリスト、および前記コンテンツリストのそれぞれのコンテンツの推薦情報を合わせて表示させるように配信することを特徴とするサーバ装置。
【請求項４】
請求項１に記載のサーバ装置において、
前記コンテンツリストは、前記所望のコンテンツの所定の条件順に並べることが可能であることを特徴とするサーバ装置。
【請求項５】
ネットワークに接続可能なユーザ端末に対して前記ネットワークを介してコンテンツの配信を行うサーバ装置で用いられるコンテンツ推薦方法あって、
前記コンテンツを記憶手段に記憶し、
前記記憶手段に記憶されたコンテンツのうち、所望のコンテンツの推薦シーンを示す推薦情報を前記ネットワークを介して受信した場合、前記所望のコンテンツに関連づけし、
前記推薦情報が関連づけされた所望のコンテンツのコンテンツリストを前記ユーザごとに作成し、
前記ネットワークを介して前記記憶手段に記憶されたコンテンツの配信要求を所定の端末から受信した場合、前記配信要求されたコンテンツ、当該コンテンツに関連づけされた推薦情報および当該コンテンツが含まれる前記コンテンツリストを前記ネットワークを介して前記所定の端末に配信を行うことを特徴とするコンテンツ推薦方法。
【請求項６】
請求項５に記載のコンテンツ推薦方法において、
前記所望のコンテンツの推薦シーンを示す推薦情報は、前記所望のコンテンツの推薦シーンに対応する再生時間の情報であることを特徴とするコンテンツ推薦方法。
【請求項７】
請求項５に記載のコンテンツ推薦方法において、
前記配信要求されたコンテンツ、当該コンテンツに関連づけされた推薦情報および当該コンテンツが含まれる前記コンテンツリストの配信を行う場合、前記配信要求されたコンテンツの推薦情報、前記コンテンツリスト、および前記コンテンツリストのそれぞれのコンテンツの推薦情報を合わせて表示させるように配信することを特徴とするコンテンツ推薦方法。
【請求項８】
請求項５に記載のコンテンツ推薦方法において、
前記コンテンツリストは、前記所望のコンテンツの所定の条件順に並べることが可能であることを特徴とするコンテンツ推薦方法。
【発明の詳細な説明】
【技術分野】
【０００１】
本発明は、コンテンツ配信技術に係り、特にコンテンツの推薦シーンをお気に入りのコンテンツリストと関連づけて表示することが可能なサーバ装置およびコンテンツ推薦方法に関する。
【背景技術】
【０００２】
一般的に、ネットワークを介してコンテンツを配信する配信サービス技術においては、ＶＯＤ（Video On Demand）でユーザの所望するタイミングでコンテンツを配信するサービスが行われている。例えば特許文献１に示すように、配信されたコンテンツをユーザが他のユーザに特定のシーンを紹介する技術が開示されている。
【特許文献１】特開２００３−９２７４６号公報
【発明の開示】
【発明が解決しようとする課題】
【０００３】
しかしながら、特許文献１に記載された技術では、ユーザごとに設定されたコンテンツのお気に入りリストと関連づけて特定のシーンを推薦することはできない。
【０００４】
そこで、本発明は、コンテンツのお気に入りリストと関連づけて特定のシーンを推薦することができるサーバ装置およびコンテンツ推薦方法を提供することを目的とする。
【課題を解決するための手段】
【０００５】
上述した課題を解決するために、本発明の一態様によれば、ネットワークに接続可能なユーザ端末に対して前記ネットワークを介してコンテンツの配信を行うサーバ装置であって、前記コンテンツを記憶する記憶手段と、前記記憶手段に記憶されたコンテンツのうち、所望のコンテンツの推薦シーンを示す推薦情報を前記ネットワークを介して受信した場合、前記所望のコンテンツに前記推薦情報を関連づける関連付け手段と、前記関連付け手段によって推薦情報が関連づけされたコンテンツのコンテンツリストを前記ユーザごとに作成する作成手段と、前記ネットワークを介して前記記憶手段に記憶されたコンテンツの配信要求を所定の端末から受信した場合、前記配信要求されたコンテンツ、当該コンテンツに関連づけされた推薦情報および当該コンテンツが含まれる前記コンテンツリストの配信を前記ネットワークを介して前記所定の端末に行う配信手段とを具備することを特徴とするサーバ装置が提供される。
【０００６】
また、ネットワークに接続可能なユーザ端末に対して前記ネットワークを介してコンテンツの配信を行うサーバ装置で用いられるコンテンツ推薦方法あって、前記コンテンツを記憶手段に記憶し、前記記憶手段に記憶されたコンテンツのうち、所望のコンテンツの推薦シーンを示す推薦情報を前記ネットワークを介して受信した場合、前記所望のコンテンツに関連づけし、前記推薦情報が関連づけされた所望のコンテンツのコンテンツリストを前記ユーザごとに作成し、前記ネットワークを介して前記記憶手段に記憶されたコンテンツの配信要求を所定の端末から受信した場合、前記配信要求されたコンテンツ、当該コンテンツに関連づけされた推薦情報および当該コンテンツが含まれる前記コンテンツリストの配信を前記ネットワークを介して前記所定の端末に行うことを特徴とするコンテンツ推薦方法が提供される。
【発明を実施するための最良の形態】
【０００７】
以下、本発明の実施形態について図面を参照しながら説明する。
【０００８】
まず、図１および図２を参照して、本発明の一実施形態に係るサーバ装置およびユーザ端末から構成されるコンテンツ配信システムの構成について説明する。
【０００９】
図１は、コンテンツ配信システムの構成の概要を示した概念図である。サーバ装置１０は、インターネット等のネットワーク１１を介してリクエストを受けたユーザ端末１２に対して動画データ等のコンテンツを配信するＶＯＤ（Video On Demand）のサービスを行うものである。このコンテンツ配信サービスでは、予め利用するユーザがサーバ装置１０にアクセスを行って登録を行い、ユーザごとのアカウントを取得してサービスを利用する。
【００１０】
当該コンテンツ配信サービスでは、ユーザ端末１２から登録したアカウントを用いてサーバ装置１０にログインする。ログイン後にユーザ端末１２は、ユーザごとにお気に入りのコンテンツのリストを例えば「マイリスト」としてサーバ装置１０に登録することができる。また、それぞれのコンテンツに対して推薦シーンとしてお勧めのシーンを登録することができる。
【００１１】
図２は、コンテンツ配信システムにおけるサーバ装置１０およびユーザ端末１２の構成を示したブロック図である。
【００１２】
サーバ装置１０は、コンテンツ記憶領域２０、送受信手段２１、メタ情報記憶領域２２を備える。コンテンツ記憶領域２０は、コンテンツ配信サービスで配信されるコンテンツを記憶する。記憶されているコンテンツは、例えばコンテンツＩＤ等を用いて管理されている。送受信手段２１は、インターネット等のネットワーク１１に接続する手段である。メタ情報記憶領域２２は、推薦情報（後述）およびマイリストを記憶する推薦情報・マイリスト一時記憶領域２２ａおよびユーザのアカウント情報等を記憶したユーザ情報記憶領域２２ｂを備えている。なお推薦情報は、コンテンツの推薦シーンを特定するための時間情報等である。例えば、再生時間が１時間１０分の時点でのシーン等である。
【００１３】
ユーザ端末１２は、送受信手段３０、推薦情報・マイリスト作成手段３１、推薦情報・マイリスト一時記憶領域３２、およびコンテンツ一時記憶領域３３を備える。送受信手段３０は、インターネット等のネットワーク１１に接続する手段である。推薦情報・マイリスト作成手段３１は、ユーザ端末１２のユーザのお気に入りのコンテンツを集めて「マイリスト」としてコンテンツリストを作成する。さらに、「マイリスト」のリストに入っているお気に入りのコンテンツに対して、コンテンツの推薦シーンを推薦情報として関連づける。推薦情報は、例えばコンテンツの再生時間の情報等である。推薦情報・マイリスト一時記憶領域３２は、上述した推薦情報および「マイリスト」を該当するコンテンツに関連づけて一時記憶する。そして任意のタイミングで一時記憶した推薦情報および「マイリスト」をサーバ装置１０に送信する。コンテンツ一時記憶領域３３は、サーバ装置１０から受信したコンテンツを一時記憶する。
【００１４】
次に、以上のように構成されたコンテンツ配信システムにおいて、本発明の実施形態に係る情報処理装置を適用したコンテンツ推薦方法について図３のシーケンス図を参照して説明する。
【００１５】
ユーザ端末１２は、ネットワーク１１を介してサーバ装置１０にアクセスし、ユーザアカウントの登録（ユーザ登録）を行う（ステップＳ１０１）。サーバ装置１０は、ユーザ端末１２に対してユーザアカウントの登録処理を行い（ステップＳ１０２）、アカウントを発行して登録完了の応答をユーザ端末１２に送信する（ステップＳ１０３）。登録完了の応答を受信したユーザ端末１２は、サーバ装置１０にアクセスを行い、コンテンツ配信サービスの一覧から所望のコンテンツＡを選択し、コンテンツＡの紹介ページの配信要求をサーバ装置１０に送信する（ステップＳ１０４：図６の（１）参照）。コンテンツＡの紹介ページの配信要求を受信したサーバ装置１０は、コンテンツＡのタイトルや説明（レビューや評価情報を含む）などからなるメタ情報を、メタ情報記憶領域２２ａから取得する（図６の（２）参照）。そしてサーバ装置１０はコンテンツＡを含む「マイリスト」をメタ情報記憶領域２２ａの推薦情報・マイリスト記憶領域２２ｂから検索し、見つけ出された「マイリスト」のリストを作成する（ステップＳ１０５：図６の（３））。なお「マイリスト」は、サーバ装置１０にユーザ登録している各ユーザが作成可能な「お気に入りコンテンツのリスト」であり、例えば図５に示すように、「マイリスト」１１０を作成する。
【００１６】
サーバ装置１０は、作成されたリストおよびメタ情報記憶領域２２ａから取得したメタ情報に基づいてコンテンツＡの紹介ページを作成する（ステップＳ１０６）。例えば、図４に示すように、コンテンツＡの各シーンを切り出したサムネイル画像１０１、レビュー１０２、評価（例えば５段階等）１０３、「コンテンツＡを含んだ「マイリスト」を表示する」へのリンク２００等を作成する。サーバ装置１０は、作成されたコンテンツＡの紹介ページをコンテンツＡの配信要求を受けたユーザ端末１２に配信処理を行う（ステップＳ１０７）。コンテンツＡの配信要求を受けたユーザ端末１２は、ディスプレイ１００にコンテンツＡの紹介ページを表示する（ステップＳ１０８）。なお、「コンテンツＡを含んだ「マイリスト」を表示する」へのリンク２００が例えばマウス等でクリックされた場合は、図６（３）に示すように、コンテンツＡを含んだ「マイリスト」が表示される（なお、図６（３）では推薦情報が省略されているが、図１０に示すように、推薦情報（お勧めシーン）も合わせて表示する）。なお、上述した実施形態では、コンテンツＡを含んだ「マイリスト」を表示したが、これに限定されるものではなく、例えば、コンテンツＡと関連のあるコンテンツを含んだ「マイリスト」が表示されるようにしてもよい。コンテンツＡと関連のあるコンテンツとは、例えば、ジャンルが同じである、出演者が同じである、映画であれば監督が同じである等、関連性があるコンテンツを意味する。
【００１７】
またユーザ端末１２は、各コンテンツに対してそれぞれ推薦シーンを関連づけて設定することができる。ユーザ端末１２によってコンテンツＡに推薦シーンを関連づける処理を図７のフローチャートを参照して説明する。
【００１８】
ユーザ端末１２は、サーバ装置１０から配信されたコンテンツＡの紹介ページに推薦シーン（推薦情報）を関連づけて設定する（ステップＳ２０１）。例えば、図８に示すように、コンテンツＡの紹介ページには、お勧めのシーンの一部を表示する画像表示領域１０４が設けられている。例えばお勧めのシーンや画像表示領域１０４等をクリックすることにより、図９に示すように、お勧めのシーンの設定画面に切り替わる。コンテンツの位置を例えばスライドバー１０５で設定すると、設定された時間情報（開始時間からの時間等）１０６が対応して表示される。また該当シーンが画像表示領域１０４に表示される。その後に「ＯＫ」ボタン１０７を押下することにより、図８に示すように、コンテンツＡの紹介ページに遷移して設定が完了する。サーバ装置１０では、設定された推薦シーン（推薦情報）の記憶処理を行い、コンテンツＡに推薦情報を関連づけて記憶する（ステップＳ２０２）。このとき、例えば図８のコンテンツＡの紹介ページでは推薦シーン（の静止画または動画）が画像表示領域１０４に表示される。このようにして、ユーザはコンテンツの所望の時間を推薦シーンとして設定することができる。
【００１９】
また、コンテンツＡ等を含む「マイリスト」１１０は、例えば図１０に示すように表示される。「マイリスト」の表示形式は、任意の条件で並べ替えることができる。例えば、「マイリスト」に登録されている数が多いコンテンツから並べる、評価の高いコンテンツから順に並べる、「マイリスト」に表示されたコンテンツのリストを必要に応じて、各ユーザの「マイリスト」でつけられた評価順にソートする等である。
【００２０】
上述したように、本実施形態によれば、コンテンツのお気に入りリストと関連づけて特定のシーンを推薦することができる。すなわち、特定のコンテンツの紹介ページを閲覧したユーザは、当該コンテンツのお勧めシーンを容易に閲覧することができ、かつ当該コンテンツが含まれているお気に入りリストも容易に閲覧できることにより、同じ趣向のコンテンツを容易に見つけることができる。
【００２１】
なお、本発明は、上述した実施形態そのままに限定されるものではない。本発明は、実施段階では、その要旨を逸脱しない範囲で構成要素を変更して具現化できる。
【００２２】
また、上述した実施形態に開示されている複数の構成要素を適宜に組み合わせることで、種々の発明を形成できる。例えば、実施形態に示される全構成要素から幾つかの構成要素を削除してもよい。更に、異なる実施形態にわたる構成要素を適宜組み合わせてもよい。
【図面の簡単な説明】
【００２３】
【図１】本発明の一実施形態に係るサーバ装置およびユーザ端末の構成例を示す概念図。
【図２】本発明の一実施形態に係るサーバ装置およびユーザ端末の構成を示すブロック図。
【図３】本発明の一実施形態に係るサーバ装置を適用したコンテンツ推薦方法を示すフローチャート。
【図４】本発明の一実施形態に係るサーバ装置によって作成されたコンテンツＡの紹介ページを示す模式図。
【図５】本発明の一実施形態に係るサーバ装置によって作成されたマイリストを示す模式図。
【図６】本発明の一実施形態に係るサーバ装置およびユーザ端末とのデータの授受を示す概念図。
【図７】本発明の一実施形態に係るサーバ装置を適用したコンテンツ推薦方法の推薦シーンの登録を示すフローチャート。
【図８】本発明の一実施形態に係るサーバ装置によって作成されたコンテンツＡの紹介ページを示す模式図。
【図９】本発明の一実施形態に係るサーバ装置上で行う推薦シーンの登録画面を示す模式図。
【図１０】本発明の一実施形態に係るサーバ装置によって作成されたマイリストを示す模式図。
【符号の説明】
【００２４】
１０…サーバ装置、１１…ネットワーク、１２…ユーザ端末、２０…コンテンツ記憶領域、２１…送受信手段、２２…メタ情報記憶領域、２２ａ…推薦情報・マイリスト一時記憶領域２２ｂ…ユーザのアカウント情報等を記憶したユーザ情報記憶領域、３０…送受信手段、３１…推薦情報・マイリスト作成手段、３２…推薦情報・マイリスト一時記憶領域、３３…コンテンツ一時記憶領域、１０１…サムネイル画像、１０２…レビュー、１０３…評価、１１…マイリスト、２００…「コンテンツＡを含んだ「マイリスト」を表示する」へのリンク
【図１】
2009182875.tif 000003
【図２】
2009182875.tif 000004
【図３】
2009182875.tif 000005
【図４】
2009182875.tif 000006
【図５】
2009182875.tif 000007
【図６】
2009182875.tif 000008
【図７】
2009182875.tif 000009
【図８】
2009182875.tif 000010
【図９】
2009182875.tif 000011
【図１０】
2009182875.tif 000012